【手続補正書】
【提出日】令和1年11月26日(2019.11.26)
【手続補正１】
【補正対象書類名】明細書
【補正対象項目名】発明の名称
【補正方法】変更
【補正の内容】
【発明の名称】画像形成装置、画像形成装置の制御方法、およびプログラム
【手続補正２】
【補正対象書類名】明細書
【補正対象項目名】０００１
【補正方法】変更
【補正の内容】
【０００１】
本発明は、画像形成装置、画像形成装置の制御方法、およびプログラムに関し、特に、ＮＦＣ（Ｎｅａｒ  Ｆｉｅｌｄ  Ｃｏｍｍｕｎｉｃａｔｉｏｎ）などの無線通信によって受けたアクセスに応じて所定の処理を行う画像形成装置に関する。
【手続補正３】
【補正対象書類名】明細書
【補正対象項目名】００１０
【補正方法】変更
【補正の内容】
【００１０】
従って、本発明は、画像形成装置においてアプリケーションサービスを用いる際に、当該アプリケーションサービスを用いるためのアプリケーションを近距離無線通信デバイスにおいて自動起動することのできるようにすることを目的とする。
【手続補正４】
【補正対象書類名】明細書
【補正対象項目名】００１１
【補正方法】変更
【補正の内容】
【００１１】
上記の目的を達成するため、本発明による画像形成装置は、ＮＦＣに対応した通信端末に情報を送信可能なＮＦＣユニットを用いる画像形成装置であって、情報を表示する表示部と、前記画像形成装置との通信に用いる第１および第２のアプリケーションを少なくとも含む複数のアプリケーションの中から前記通信端末で実行する１つのアプリケーションを指定するための情報を前記表示部に表示させる表示手段と、前記指定がなされたアプリケーションを識別するための識別情報を前記ＮＦＣユニットに記憶させる記憶手段と、を有し、前記ＮＦＣユニットは、前記通信端末と前記ＮＦＣユニットの近接に応じて、前記記憶された識別情報を前記通信端末に送信し、前記通信端末は、前記ＮＦＣユニットから前記第１のアプリケーションの識別情報を受信したことに従って前記第１のアプリケーションを実行し、前記ＮＦＣユニットから前記第２のアプリケーションの識別情報を受信したことに従って前記第２のアプリケーションを実行することを特徴とする。
【手続補正５】
【補正対象書類名】明細書
【補正対象項目名】００１２
【補正方法】変更
【補正の内容】
【００１２】
本発明による画像形成装置の制御方法は、ＮＦＣに対応した通信端末に情報を送信可能なＮＦＣユニットと、情報を表示する表示部とを用いる画像形成装置の制御方法であって、前記画像形成装置との通信に用いる第１および第２のアプリケーションを少なくとも含む複数のアプリケーションの中から前記通信端末で実行する１つのアプリケーションを指定するための情報を前記表示部に表示させる表示工程と、前記指定がなされたアプリケーションを識別するための識別情報を前記ＮＦＣユニットに記憶させる記憶工程と、を有し、前記ＮＦＣユニットは、前記通信端末と前記ＮＦＣユニットの近接に応じて、前記記憶された識別情報を前記通信端末に送信し、前記通信端末は、前記ＮＦＣユニットから前記第１のアプリケーションの識別情報を受信したことに従って前記第１のアプリケーションを実行し、前記ＮＦＣユニットから前記第２のアプリケーションの識別情報を受信したことに従って前記第２のアプリケーションを実行することを特徴とする。
【手続補正６】
【補正対象書類名】明細書
【補正対象項目名】００１３
【補正方法】変更
【補正の内容】
【００１３】
本発明によるプログラムは、ＮＦＣに対応した通信端末に情報を送信可能なＮＦＣユニットと、情報を表示する表示部とを用いる画像形成装置の制御方法をコンピュータに実行させるプログラムであって、前記制御方法は、前記画像形成装置との通信に用いる第１および第２のアプリケーションを少なくとも含む複数のアプリケーションの中から前記通信端末で実行する１つのアプリケーションを指定するための情報を前記表示部に表示させる表示工程と、前記指定がなされたアプリケーションを識別するための識別情報を前記ＮＦＣユニットに記憶させる記憶工程と、を有し、前記ＮＦＣユニットは、前記通信端末と前記ＮＦＣユニットの近接に応じて、前記記憶された識別情報を前記通信端末に送信し、前記通信端末は、前記ＮＦＣユニットから前記第１のアプリケーションの識別情報を受信したことに従って前記第１のアプリケーションを実行し、前記ＮＦＣユニットから前記第２のアプリケーションの識別情報を受信したことに従って前記第２のアプリケーションを実行することを特徴とする。
【手続補正７】
【補正対象書類名】特許請求の範囲
【補正対象項目名】全文
【補正方法】変更
【補正の内容】
【特許請求の範囲】
【請求項１】
ＮＦＣに対応した通信端末に情報を送信可能なＮＦＣユニットを用いる画像形成装置であって、
情報を表示する表示部と、
前記画像形成装置との通信に用いる第１および第２のアプリケーションを少なくとも含む複数のアプリケーションの中から前記通信端末で実行する１つのアプリケーションを指定するための情報を前記表示部に表示させる表示手段と、
前記指定がなされたアプリケーションを識別するための識別情報を前記ＮＦＣユニットに記憶させる記憶手段と、を有し、
前記ＮＦＣユニットは、前記通信端末と前記ＮＦＣユニットの近接に応じて、前記記憶された識別情報を前記通信端末に送信し、
前記通信端末は、前記ＮＦＣユニットから前記第１のアプリケーションの識別情報を受信したことに従って前記第１のアプリケーションを実行し、前記ＮＦＣユニットから前記第２のアプリケーションの識別情報を受信したことに従って前記第２のアプリケーションを実行することを特徴とする画像形成装置。
【請求項２】
シートに画像を形成する画像形成部を備え、
前記第１のアプリケーションは、前記画像形成部における画像形成に利用する画像データを前記通信端末に送信するアプリケーションであることを特徴とする請求項１に記載の画像形成装置。
【請求項３】
前記識別情報は、前記指定がなされたアプリケーションのパッケージ名を含むことを特徴とする請求項１または２に記載の画像形成装置。
【請求項４】
前記識別情報は、前記指定がなされたアプリケーションの名称が含まれる文字列情報を備えることを特徴とする請求項１乃至３のいずれか１項に記載の画像形成装置。
【請求項５】
前記識別情報は、ＮＤＥＦ形式のデータに含められた状態で前記ＮＦＣユニットから前記通信端末に送信されることを特徴とする請求項１乃至４のいずれか１項に記載の画像形成装置。
【請求項６】
前記ＮＤＥＦ形式のデータは整列された複数のレコードを含み、前記複数のレコードのうち先頭のレコードはヘッダを含み、前記ヘッダには前記先頭のレコードがアプリケーションを起動させる役割を果たすレコードである旨を示す情報が格納されていることを特徴とする請求項５に記載の画像形成装置。
【請求項７】
前記第１のアプリケーションを識別するための識別情報にともなって前記通信端末に送信される情報は前記画像形成装置のデバイス情報を含み、前記第２のアプリケーションを識別するための識別情報にともなって前記通信端末に送信される情報は前記画像形成装置のデバイス情報を含まないことを特徴とする請求項１乃至６のいずれか１項に記載の画像形成装置。
【請求項８】
前記第１のアプリケーションが前記通信端末に実行させる通信は第１の通信プロトコルを用いる通信であり、前記第２のアプリケーションが前記通信端末に実行させる通信は第２の通信プロトコルを用いる通信であることを特徴とする請求項１乃至７のいずれか１項に記載の画像形成装置。
【請求項９】
前記表示部に表示される情報は、前記複数のアプリケーションの各々に対応した選択オブジェクトを備え、指定状態の選択オブジェクトと非指定状態の選択オブジェクトが区別可能な画面情報であることを特徴とする請求項１乃至８のいずれか１項に記載の画像形成装置。
【請求項１０】
前記表示部に表示される情報は、表示を終了させる選択オブジェクトを有する画面情報であることを特徴とする請求項１乃至９のいずれか１項に記載の画像形成装置。
【請求項１１】
前記表示部に表示される情報は前記画像形成装置の管理者によって操作される画面情報であって、管理者と異なるユーザによって操作されない画面情報であることを特徴とする請求項１乃至１０のいずれか１項に記載の画像形成装置。
【請求項１２】
前記通信端末は、前記受信した識別情報に対応するアプリケーションが未インストール状態であることに基づいて、所定のサーバにアクセスすることを特徴とする請求項１乃至１１のいずれか１項に記載の画像形成装置。
【請求項１３】
前記通信端末は、モバイル端末であることを特徴とする請求項１乃至１２のいずれか１項に記載の画像形成装置。
【請求項１４】
ＮＦＣに対応した通信端末に情報を送信可能なＮＦＣユニットと、情報を表示する表示部とを用いる画像形成装置の制御方法であって、
前記画像形成装置との通信に用いる第１および第２のアプリケーションを少なくとも含む複数のアプリケーションの中から前記通信端末で実行する１つのアプリケーションを指定するための情報を前記表示部に表示させる表示工程と、
前記指定がなされたアプリケーションを識別するための識別情報を前記ＮＦＣユニットに記憶させる記憶工程と、を有し、
前記ＮＦＣユニットは、前記通信端末と前記ＮＦＣユニットの近接に応じて、前記記憶された識別情報を前記通信端末に送信し、
前記通信端末は、前記ＮＦＣユニットから前記第１のアプリケーションの識別情報を受信したことに従って前記第１のアプリケーションを実行し、前記ＮＦＣユニットから前記第２のアプリケーションの識別情報を受信したことに従って前記第２のアプリケーションを実行することを特徴とする制御方法。
【請求項１５】
ＮＦＣに対応した通信端末に情報を送信可能なＮＦＣユニットと、情報を表示する表示部とを用いる画像形成装置の制御方法をコンピュータに実行させるプログラムであって、
前記制御方法は、
前記画像形成装置との通信に用いる第１および第２のアプリケーションを少なくとも含む複数のアプリケーションの中から前記通信端末で実行する１つのアプリケーションを指定するための情報を前記表示部に表示させる表示工程と、
前記指定がなされたアプリケーションを識別するための識別情報を前記ＮＦＣユニットに記憶させる記憶工程と、を有し、
前記ＮＦＣユニットは、前記通信端末と前記ＮＦＣユニットの近接に応じて、前記記憶された識別情報を前記通信端末に送信し、
前記通信端末は、前記ＮＦＣユニットから前記第１のアプリケーションの識別情報を受信したことに従って前記第１のアプリケーションを実行し、前記ＮＦＣユニットから前記第２のアプリケーションの識別情報を受信したことに従って前記第２のアプリケーションを実行することを特徴とするプログラム。
【請求項１６】
ＮＦＣに対応した通信端末に情報を送信可能なＮＦＣユニットを用いる画像形成装置であって、
情報を表示する表示部と、
前記画像形成装置との通信に用いる第１および第２のアプリケーションを少なくとも含む複数のアプリケーションの中から前記通信端末で実行する１つのアプリケーションを指定するための情報を前記表示部に表示させる表示手段と、
前記指定がなされたアプリケーションを識別するための識別情報を前記ＮＦＣユニットに記憶させる記憶手段と、を有し、
前記ＮＦＣユニットは、ＮＦＣの通信圏内に位置する前記通信端末に対して前記記憶された識別情報を送信し、
前記通信端末は、前記ＮＦＣユニットから前記第１のアプリケーションの識別情報を受信したことに従って前記第１のアプリケーションを実行し、前記ＮＦＣユニットから前記第２のアプリケーションの識別情報を受信したことに従って前記第２のアプリケーションを実行することを特徴とする画像形成装置。
【請求項１７】
シートに画像を形成する画像形成部を備え、
前記第１のアプリケーションは、前記画像形成部における画像形成に利用する画像データを前記通信端末に送信するアプリケーションであることを特徴とする請求項１６に記載の画像形成装置。
【請求項１８】
前記識別情報は、前記指定がなされたアプリケーションのパッケージ名を含むことを特徴とする請求項１６または１７に記載の画像形成装置。
【請求項１９】
前記識別情報は、前記指定がなされたアプリケーションの名称が含まれる文字列情報を備えることを特徴とする請求項１６乃至１８のいずれか１項に記載の画像形成装置。
【請求項２０】
前記識別情報は、ＮＤＥＦ形式のデータに含められた状態で前記ＮＦＣユニットから前記通信端末に送信されることを特徴とする請求項１６乃至１９のいずれか１項に記載の画像形成装置。
【請求項２１】
前記ＮＤＥＦ形式のデータは整列された複数のレコードを含み、前記複数のレコードのうち先頭のレコードはヘッダを含み、前記ヘッダには前記先頭のレコードがアプリケーションを起動させる役割を果たすレコードである旨を示す情報が格納されていることを特徴とする請求項２０に記載の画像形成装置。
【請求項２２】
前記第１のアプリケーションを識別するための識別情報にともなって前記通信端末に送信される情報は前記画像形成装置のデバイス情報を含み、前記第２のアプリケーションを識別するための識別情報にともなって前記通信端末に送信される情報は前記画像形成装置のデバイス情報を含まないことを特徴とする請求項１６乃至２１のいずれか１項に記載の画像形成装置。
【請求項２３】
前記第１のアプリケーションが前記通信端末に実行させる通信は第１の通信プロトコルを用いる通信であり、前記第２のアプリケーションが前記通信端末に実行させる通信は第２の通信プロトコルを用いる通信であることを特徴とする請求項１６乃至２２のいずれか１項に記載の画像形成装置。
【請求項２４】
前記表示部に表示される情報は、前記複数のアプリケーションの各々に対応した選択オブジェクトを備え、指定状態の選択オブジェクトと非指定状態の選択オブジェクトが区別可能な画面情報であることを特徴とする請求項１６乃至２３のいずれか１項に記載の画像形成装置。
【請求項２５】
前記表示部に表示される情報は、表示を終了させる選択オブジェクトを有する画面情報であることを特徴とする請求項１６乃至２４のいずれか１項に記載の画像形成装置。
【請求項２６】
前記表示部に表示される情報は前記画像形成装置の管理者によって操作される画面情報であって、管理者と異なるユーザによって操作されない画面情報であることを特徴とする請求項１６乃至２５のいずれか１項に記載の画像形成装置。
【請求項２７】
前記通信端末は、前記受信した識別情報に対応するアプリケーションが未インストール状態であることに基づいて、所定のサーバにアクセスすることを特徴とする請求項１６乃至２６のいずれか１項に記載の画像形成装置。
【請求項２８】
前記通信端末は、モバイル端末であることを特徴とする請求項１６乃至２７のいずれか１項に記載の画像形成装置。
【請求項２９】
ＮＦＣに対応した通信端末に情報を送信可能なＮＦＣユニットを用いる画像形成装置であって、
情報を表示する表示部と、
前記画像形成装置との通信に用いる第１および第２のアプリケーションを少なくとも含む複数のアプリケーションの中から前記通信端末で実行する１つのアプリケーションを指定するための情報を前記表示部に表示させる表示手段と、
前記指定がなされたアプリケーションを識別するための識別情報を前記ＮＦＣユニットに記憶させる記憶手段と、を有し、
前記ＮＦＣユニットは、ＮＦＣの通信圏内に位置する前記通信端末に対して前記記憶された識別情報を送信し、
前記通信端末は、前記ＮＦＣユニットから前記第１のアプリケーションの識別情報を受信したことに従って前記第１のアプリケーションを起動し、前記ＮＦＣユニットから前記第２のアプリケーションの識別情報を受信したことに従って前記第２のアプリケーションを起動することを特徴とする画像形成装置。
【請求項３０】
ＮＦＣに対応した通信端末に情報を送信可能なＮＦＣユニットを用いる画像形成装置であって、
情報を表示する表示部と、
前記画像形成装置との通信に用いる第１および第２のアプリケーションを少なくとも含む複数のアプリケーションの中から前記通信端末で実行する１つのアプリケーションを指定するための情報を前記表示部に表示させる表示手段と、
前記指定がなされたアプリケーションを識別するための識別情報を前記ＮＦＣユニットに記憶させる記憶手段と、を有し、
前記ＮＦＣユニットは、前記通信端末と前記ＮＦＣユニットの近接に応じて、前記記憶された識別情報を前記通信端末に送信し、
前記通信端末は、前記ＮＦＣユニットから前記第１のアプリケーションの識別情報を受信したことに従って前記第１のアプリケーションを起動し、前記ＮＦＣユニットから前記第２のアプリケーションの識別情報を受信したことに従って前記第２のアプリケーションを起動することを特徴とする画像形成装置。